(57)【特許請求の範囲】
【請求項１】
収納庫の開閉部材に設けられ、施解錠操作に伴ってロック部材を、前記開閉部材から突出した施錠位置と前記開閉部材に没入した解錠位置とに進退させて前記収納庫を施解錠する錠装置において、
前記開閉部材が閉鎖されているときは前記ロック部材の移動領域から離れて位置し、前記開閉部材の開放動作に伴って前記移動領域へ進入する可動ストッパーを有し、
前記ロック部材は、
前記解錠位置において前記移動領域に進入した前記可動ストッパーと係合する位置に設けられた第一の係止部と、
前記施錠位置において不正な開放動作に伴って前記移動領域に進入した前記可動ストッパーと係合する位置に設けられた第二の係止部とを備え、
前記ロック部材が解錠位置にあるときにおける前記開閉部材の開放動作に伴って、前記可動ストッパーが前記移動領域に進入し、前記第一の係止部と係合することで前記ロック部材の突出を阻止し、
前記ロック部材が施錠位置にあるときにおける前記開閉部材の不正な開放動作に伴って、前記可動ストッパーが前記移動領域に進入し、前記第二の係止部と係合することで前記ロック部材の没入を阻止する
ことを特徴とする錠装置。
【請求項２】
前記可動ストッパーは、
前記ロック部材の第一及び第二の係止部と係合する係止突起と、
前記ロック部材の移動領域に向けて前記係止突起を付勢する付勢手段と、
前記開閉部材から突出した作用端部とを含んで成り、
前記開閉部材が閉鎖されたときに前記作用端部が前記収納庫の枠部材に押圧され、前記付勢手段による付勢力に抗して前記係止突起を前記移動領域から後退させ、
前記作用端部に対する前記枠部材による押圧が解除されると、前記付勢手段の付勢力が解放されて前記係止突起を前記移動領域へ進入させる
ことを特徴とする請求項１に記載の錠装置。
【請求項３】
前記ロック部材は、
前記開閉部材から突出した施錠位置と没入した解錠位置との間を施解錠操作に伴って移動するロック片と、
前記第一及び第二の係止部が設けられ、前記開閉部材から突出することなく前記開閉部材の内部で移動する、前記ロック片から分岐した分岐片と、を含んで成る
ことを特徴とする請求項１または２に記載の錠装置。
【請求項４】
前記ロック部材と異なる方向にて前記開閉部材から出没して前記収納庫を施解錠する第二のロック部材と、
前記ロック部材と前記第二のロック部材とを連結し、一方のロック部材の施錠位置／解錠位置への移動に連動させて他方のロック部材を施錠位置／解錠位置へ移動させる連結機構とを有し、
前記ロック部材及び前記第二のロック部材の一方側にのみ、前記係止部及び前記可動ストッパーを設けた
ことを特徴とする請求項１ないし３のいずれかに記載の錠装置。
【発明の詳細な説明】
【技術分野】
【０００１】
本発明は収納庫の扉又は引き出しの錠装置に関し、特に、抉じ開け行為による不正解錠を防止する装置を備えた錠装置に関する。
【背景技術】
【０００２】
従来、貴重品等の盗難を防ぐ手段として、金庫等の錠装置を備えた防盗収納庫が普及している。防盗収納庫に用いられる錠装置は、例えば収納庫の扉あるいは引出し側に設けられ、利用者が鍵を用いて施錠操作を行うと、デッドボルト（以下、「閂（かんぬき）」と記す）を突出させて収納庫の枠側に設けた受入れ部に進入させることで、収納庫の扉あるいは引出しが開かないように施錠する。また、解錠操作を行うと、閂を扉側に没入させて枠側の受入れ部から後退させることで扉あるいは引き出しの開閉動作を可能とする。
この種の錠装置では、扉の隙間にバール等を挿入して閂を不正に没入させてしまう抉じ開けによる不正解錠が問題視されている。
【０００３】
これに対し、特許文献１に示された錠装置では、閂の突出を受け入れる係合ボックス内に係合ピンを設け、閂に回動可能に設けた鎌部材を、施錠操作により閂が施錠位置（突出状態）に移動した際に係合ピンに係合させるとともに、解錠操作により閂が解錠位置（没入状態）に移動する際には係合ピンとの係合を解除するように構成している。具体的には、利用者の施錠操作／解錠操作によってラッチ回動規制部材を鎌部材の回動領域に進入／退避させる。
【０００４】
このようにして、正規の解錠操作に対してはラッチ回動規制部材を鎌部材の回動領域から後退させて鎌部材と係合ピンとの係合を解除して閂を没入させる一方、抉じ開けによる不正解錠に対してはラッチ回動規制部材によって鎌部材の回動を規制して鎌部材と係合ピンとの係合を保持することで閂の没入を阻止し、防盗性能を高めている。
【０００５】
一方、閂の動作を規制するものとしては、従来から特許文献２に示されるような鍵の誤操作防止装置が知られている。鍵の誤操作防止装置は、収納庫の扉あるいは引出しの開放に伴って閂の進路上に係止板を進入させることで扉開放中の閂の突出を阻止している。
鍵の誤操作防止装置は、上記のように簡易な構成で扉開放中の誤施錠を阻止し誤操作による収納庫の破損や利用者の怪我を防止している。
【０００６】
【特許文献１】特開２００５−４２５１３号公報
【特許文献２】特開２００１−２６２８９２号公報
【発明の開示】
【発明が解決しようとする課題】
【０００７】
しかしながら、特許文献１の錠装置は単純な錠装置（錠操作と閂後退のみ）と比べて機構が複雑であり、部品数も多くなるため高コスト化は避けられない。また、特許文献２の錠装置では抉じ開け行為による不正解錠に対する対策とはならない。
【０００８】
本発明は、簡易な構造かつ低コストにて誤操作防止機構に加えて抉じ開け防止機構を備え、防盗防止性能を向上させた錠装置を提供することを課題とする。
【課題を解決するための手段】
【０００９】
上記課題を解決するために請求項１に記載の発明は、収納庫の開閉部材に設けられ、施解錠操作に伴ってロック部材を、前記開閉部材から突出した施錠位置と前記開閉部材に没入した解錠位置とに進退させて前記収納庫を施解錠する錠装置において、前記開閉部材が閉鎖されているときは前記ロック部材の移動領域から離れて位置し、前記開閉部材の開放動作に伴って前記移動領域へ進入する可動ストッパーを有し、前記ロック部材は、前記解錠位置において前記移動領域に進入した前記可動ストッパーと係合する位置に設けられた第一の係止部と、前記施錠位置において不正な開放動作に伴って前記移動領域に進入した前記可動ストッパーと係合する位置に設けられた第二の係止部とを備え、前記ロック部材が解錠位置にあるときにおける前記開閉部材の開放動作に伴って、前記可動ストッパーが前記移動領域に進入し、前記第一の係止部と係合することで前記ロック部材の突出を阻止し、前記ロック部材が施錠位置にあるときにおける前記開閉部材の不正な開放動作に伴って、前記可動ストッパーが前記移動領域に進入し、前記第二の係止部と係合することで前記ロック部材の没入を阻止することを特徴とする。このように、誤操作防止機構の一部を抉じ開け防止機構に併用することで、防盗性能を向上させた錠装置を簡易な構造でかつ低コストにて製造することができる。
請求項２に記載の発明は、さらに、前記可動ストッパーは、前記ロック部材の第一及び第二の係止部と係合する係止突起と、前記ロック部材の移動領域に向けて前記係止突起を付勢する付勢手段と、前記開閉部材から突出した作用端部とを含んで成り、前記開閉部材が閉鎖されたときに前記作用端部が前記収納庫の枠部材に押圧され、前記付勢手段による付勢力に抗して前記係止突起を前記移動領域から後退させ、前記作用端部に対する前記枠部材による押圧が解除されると、前記付勢手段の付勢力が開放されて前記係止突起を前記移動領域へ進入させることを特徴とする。これにより、簡易な構造で、かつ低コストで可動ストッパーを設けることができる。
請求項３に記載の発明は、さらに、前記ロック部材は、前記開閉部材から突出した施錠位置と没入した解錠位置との間を施解錠操作に伴って移動するロック片と、前記第一及び第二の係止部が設けられ、前記開閉部材から突出することなく前記開閉部材の内部で移動する、前記ロック片から分岐した分岐片と、を含んで成ることを特徴とする。これにより、高い強度が求められるロック片を可動ストッパーとの係合用に加工する必要がなく、丈夫な錠装置とすることができる。また、係合機構を外部に露出させずに構成することができる。
請求項４に記載の発明は、さらに、前記ロック部材と異なる方向にて前記開閉部材から出没して前記収納庫を施解錠する第二のロック部材と、前記ロック部材と前記第二のロック部材とを連結し、一方のロック部材の施錠位置／解錠位置への移動に連動させて他方のロック部材を施錠位置／解錠位置へ移動させる連結機構を有し、前記ロック部材及び前記第二のロック部材の一方側にのみ、前記係止部及び前記可動ストッパーを設けたことを特徴とする。これにより、複数方向にロック部材を設けた構成においても、抉じ開け耐性に優れた錠装置を簡易かつ低コストで製造することができる。
【発明の効果】
【００１０】
以上説明したように、本発明の錠装置では扉の開閉に応じて係止片を閂の移動領域に進入させ、解錠状態（没入）で扉が開いたときは閂の先端部にて係止片を係合させて閂の突出を阻止し、施錠状態（突出）で扉が開いたときには閂の中部にて係止片を係合させて閂の没入を阻止することにより、誤操作防止機構に加えて抉じ開け防止機構を備え、防盗性能を向上させた錠装置を簡易に、かつ低コストで製作することができる。
【発明を実施するための最良の形態】
【００１１】
以下に、本発明の錠装置の実施形態について図面にて説明する。
図１は本実施形態の錠装置の機構および機能を説明するための模式図である。図１（ａ）は引き出しを閉鎖した場合、図１（ｂ）は引き出しを開放した場合、図１（ｃ）は抉じ開けによる不正開放の場合をそれぞれ示す平面図である。本実施形態は、収納庫の開閉部材として引き出しを有する構成のものについて説明するが、開閉部材として扉を有する構成のものについてもこれと同様の機能、効果が得られる。
【００１２】
図１において符号１は錠装置、符号２は引き出し、符号３は枠をそれぞれ示す。
本実施形態の錠装置１は、固定側の枠３の本体８に閂受け部９ａを設け、移動側の引き出し２に前記ロック部材である閂６、及び前記可動ストッパーである閂ストッパー７を設け、引き出し２の閉状態において施錠及び解錠を行うとともに、引き出し２の開状態において誤施錠を防止し、さらに、引き出し２の施錠状態において不正解錠を防止する機能を備えている。
【００１３】
錠装置１の構成及び機能を図１で詳しく説明する。閂６は、引き出し２の側壁４の貫通孔４ａを通って枠３の閂受け部９ａに突出／没入することで、錠装置１の施錠／解錠を行うための部品であって、図示しないコマ部（図２参照方）を鍵操作により回転させ、閂６を左右に直線移動させることで施錠及び解錠を行う。
【００１４】
閂ストッパー７は、引き出し２の前壁５に一端が固定されており、弾性変形によって、図１（ａ）に示すように、引き出し２の閉状態では作用端部であるストッパー本体７ａが枠部材である枠３の前端面９ｂに押圧されて後退し、前記係止突起である係止片７ｂを閂６の移動領域から後退させて閂６の突出、没入の移動を可能とし、また、図１（ｂ）に示すように、引き出し２の開状態では係止片７ｂを閂６の移動領域へ進入させ、第一の係止部である閂６の先端に当接させて閂６の突出を阻止し、さらに、図１（ｃ）に示すように、引き出し２の施錠状態においてバール１５を使って不正開放（抉じ開け）が行われた際には、この開放動作に伴ってストッパー本体７ａが前端面９ｂと接触しなくなり（あるいは押圧が弱くなり）、係止片７ｂが閂６の移動領域に進入して閂６の第二の係止部である係止孔６ａに嵌ることで閂６の没入を阻止して不正解錠を防止する。
なお、第一の係止部を閂６の先端としたが、第二の係止部と同様に孔であっても溝であってもよく、あるいは移動領域に進入した係止片７ｂによって突出方向の移動が規制される凸部としてもよい。第二の係止部についても溝あるいは凸部としてもよい。
【００１５】
次に実施例１について説明する。まず、構成について図２で説明する。図２において主要部品の符号は図１と同一の符号を用いている。図２は引き出し２の閉状態を示しており、図２（ａ）は引き出し２の前壁５を内側から見た正面図であり、図２（ｂ）は矢視Ａ−Ａを示し、引き出し２を底面から見た図となっている。
本実施例では、閂６は水平に駆動される走り金具１０に締結されており、走り金具１０は左右に各々１組ずつ配設され、各々の内側の端部にピン１１が突設されている。このピン１１がコマ１２の外周上に設けた径方向の長穴１２ａに嵌合され、コマ１２の回転と走り金具１０の水平移動が連動する。また、走り金具１０は、前壁５に固定されたピン１４に沿って走り金具１０に設けた長手方向の長穴１０ｅが移動することで左右に水平移動する。鍵を使った施解錠に応じてコマ１２は図２（ａ）上で反時計回りに回転し、この回転運動に連動して左右の走り金具１０は外側方向へ水平移動し、閂６を突出させる。解錠操作に対しては逆にコマ１２は時計回りに回動し、走り金具１０は内側方向へ移動して閂６を没入させる。このように、ピン１１及びコマ１２が左右の走り金具１０を連結し、水平移動を連動させる連結機構となっている。なお、この走り金具１０及び閂６の組がそれぞれ前記ロック部材に相当する。
【００１６】
本図では閂６は枠３の閂受け部９ａに突出して施錠状態となっている（図４参照方）。
なお、本実施例では一方（右側）の走り金具１０は上下２段に分岐しており、ロック片である上段１０ａには閂６が配設され、分岐片である下段１０ｂには後述する閂ストッパー７の係止片７ｂとの第一の係止部１０ｃ及び第二の係止部１０ｄが配設されている。これは、スペースを有効に利用して各部の機能を十分に発揮させ、特に外部からの抉じ開け防止機構の隠蔽、ロック機構の劣化防止と強度向上を目的とした構成であるが、模式図で示した単純な構成であっても勿論よい。
【００１７】
閂ストッパー７は前壁５にボルト止めされたコイルバネ１３に前進方向（前壁５から浮き上がる方向）に付勢されて取り付けられている。引き出し２の閉状態では、ストッパー本体７ａが枠３の前端面９ｂに当接し、押圧されてコイルバネ１３の付勢力に抗して前壁５に押し付けられる方向へ後退する。この閂ストッパー７が後退した状態では係止片７ｂが閂６の突出、没入の移動に対して干渉しない位置に配設されており、錠装置の施解錠を自由に行うことができる。
【００１８】
また、本実施例では、上述のように走り金具１０が左右に分岐して２箇所に閂６を備える構成としている。これは後述する効果を得るためのものであるが、左右いずれか一方のみに閂６及び閂ストッパー７を有する走り金具１０を配設する構成であっても差し支えない。また、付勢手段としてコイルバネ１３を用いた構成としているが、同様の付勢力を発揮する他のものも適用可能であることはいうまでもない。
【００１９】
図３は引き出し２の開状態を示しており、図３（ａ）も引き出し２の前壁５を内側から見た正面図であり、図３（ｂ）は矢視Ｂ−Ｂを示し、引き出し２を底面から見た図となっている。
図３に示すように、引き出し２の開状態では、閂ストッパー７はストッパー本体７ａと枠３の前端面９ｂとが接触しなくなるため、コイルバネ１３の付勢力により前壁５から離れる方向に回動して前進し、係止片７ｂが走り金具１０の移動領域に進入する。ここで、走り金具１０の下段１０ｂ先端部には、解錠状態において係止片７ｂと対向する位置（係止片７ｂが進入する位置）に、係止片７ｂと係合する第一の係止部１０ｃを有する。そして、閂ストッパー７が前進した状態では係止片７ｂが下段１０ｂの第一の係止部１０ｃに当接し、閂６の突出を阻止する（図５参照方）。
【００２０】
さらに、図２に戻って、引き出し２の閉状態で閂６が突出した施錠状態において、不正に外力を加えて開放しようとする行為があった場合（図１、図６参照方）、バール等で抉じ開けられた際に枠３の前端面９ｂと閂ストッパー７のストッパー本体７ａとが接触しなくなるか、もしくは押圧力が低下するため、閂ストッパー７は上記と同様にコイルバネ１３の付勢力により前壁５から離れる方向に回動して前進し、係止片７ｂが走り金具１０の移動領域に進入する。ここで、走り金具１０の下段１０ｂには、施錠状態において係止片７ｂと対向する位置に、係止片７ｂと係合する第二の係止部１０ｄを有する。そして、付勢によって移動した係止片７ｂは、上記とは異なって下段１０ｂの第二の係止部１０ｄに挿入される。第二の係止部１０ｄは下段１０ｂに設けられた貫通孔である。
【００２１】
この結果、不正行為者がバール等で閂６を内側に押圧して解錠しようとしても、第二の係止部１０ｄが係止片７ｂと干渉して走り金具１０の後退すなわち閂６の没入を阻止し、不正解錠を極めて困難なものとする。したがって、このような不正解錠による押圧力に対して複雑な機構を用いずに引き出し中央部に設置されたコマ１２部のみが抵抗する構成と比較して、十分に強い抵抗力を持たせることができる。表１に上記の引き出し２の開閉と施解錠、及び閂６と閂ストッパー７の状態の関係を示す。
【００２２】
【表１】
0005013991.tif 000002
【００２３】
従来、この引き出しの開状態における錠装置の誤操作防止として閂ストッパーを設けたものはあったが、不正解錠対策としては、これとは別の比較的複雑な機構を設けて対処するのが常であった。ここで、上述した誤操作防止装置はあくまでも誤って施錠することを防止する装置であり、閂を突出させないための装置である。これに対し、不正解錠防止とは閂を没入させないための装置であり、両者は、防止対象となる操作の方向が全く逆方向となっている。
本実施例では、これら誤操作防止と不正解錠防止という二つの機能を一つの閂ストッパーを用いて簡易な装置により実現するものである。詳しくは、従来の鍵の誤操作防止機構に、抉じ開け防止用の係止部をロック部材に設けるだけの構成で２つの機能を両立させたものである。
【００２４】
したがって、本実施例錠装置は、従来の抉じ開け防止機能を備える錠装置に比べて簡易な構造で、かつ低コストで上記機能を有しており、さらに、誤操作防止機能も有するものとすることができる。
また、開閉部材のスペースを有効利用してロック部材である走り金具を上下２段に分割して閂の機能と、閂ストッパーの係止部材としての機能を分けた構成としたことで、主の施錠部材であるロック片にかかる負担を軽減することができ、丈夫で製造容易な錠装置とすることができる。
さらに、走り金具を左右に設けた場合にその一方のみに閂ストッパーの係止部材を設ける構成としたことで、抉じ開け耐性に優れた錠装置を簡易かつ低コストで製造することができる。
【図面の簡単な説明】
【００２５】
【図１】本発明の錠装置の模式図であり、（ａ）は引き出しの閉状態、（ｂ）は同開状態、（ｃ）は施錠状態において不正開錠が行われた状態をそれぞれ示す。
【図２】本実施形態の錠装置の引き出し閉状態における（ａ）正面図、及び（ｂ）矢視図Ａ−Ａである。
【図３】本実施形態の錠装置の引き出し開状態における（ａ）正面図、及び（ｂ）矢視図Ｂ−Ｂである。
【図４】本実施形態の錠装置の施錠状態を示す斜視図である。
【図５】本実施形態の錠装置の解錠状態を示す斜視図である。
【図６】本実施形態の錠装置の抉じ開けによる不正解錠状態を示す斜視図である。
【符号の説明】
【００２６】
１    錠装置
２    引き出し
３    枠
４    側壁
４ａ    貫通孔
５    前壁
６    閂
６ａ    係止孔
７    閂ストッパー
７ａ    ストッパー本体
７ｂ    係止片
８    枠本体
９ａ    閂受け部
９ｂ    前端面
１０    走り金具
１０ａ    上段
１０ｂ    下段
１０ｃ    第一の係止部
１０ｄ    第一の係止部
１０ｅ    長穴
１１    ピン
１２    コマ
１２ａ    長穴
１３    コイルバネ
１４    ピン
１５    バール
【図１】
0005013991.tif 000003
【図２】
0005013991.tif 000004
【図３】
0005013991.tif 000005
【図４】
0005013991.tif 000006
【図５】
0005013991.tif 000007
【図６】
0005013991.tif 000008